(57)【要約】      （修正有）【課題】神経を使うことなく、同時にサンプルを小溝に入れることが出来、安定、迅速、かつ、多数の検体処理に効果を発揮するディスポーザブルの用具を提供する。【解決手段】電気泳動のサンプルを間接的に支持体（アガロース等）に作られた溝の中に注入するためのポリエステル（またはナイロン）等のメッシュ製ポケット、およびこのポケットの使用を助けるガイド用具。【選択図】図５
2010230600.tif 000002
【特許請求の範囲】
【請求項１】
電気泳動のサンプルを間接的に支持体（アガロース等）に作られた溝の中に注入するためのポリエステル（またはナイロン）等のメッシュ製ポケットおよびこのポケットの使用を助けるガイド用具
【発明の詳細な説明】
【技術分野】
【０００１】
本発明は、電気泳動のサンプル注入時の不便さの改善に関するものである。
【背景技術】
【０００２】
以下、図１（陽極側から見たイメージ図）により従来多用されている小型アガロースゲル用電気泳動装置（ＣＯＳＭＯ  ＢＩＯ  ＣＯ．ＬＴＤのＭｙＲｕｎ）の使用を例に、通常行われているサンプルの注入について説明する。アガロースゲル（６０ｍｍｘ５２ｍｍｘ９ｍｍ）（太い実線で囲まれた左右の側壁をもち、１３、１４、２３、２４（図中の数字は図１から図４の順で、上左から右、下の順で必要な箇所に付したもの。図６から図９の番号は同様の方式で新規番号を付した）で囲まれた底面からなるトレー上に作られた部分で、３，４，２１，２２が上面の横辺（５２ｍｍ部）の陰極側から５ｍｍの線上に、８―１０ｍｍｘ３．８ｍｍｘ１ｍｍの溝を１．８ｍｍの間隔で８個作る（溝の一つとして例えば、底面がゲルで閉鎖されている５，６，７，８の上面から下方の９，１０，１１，１２で囲まれた底面までで溝の底面はゲルで閉鎖されている）。この溝にプラスチックピペット（エッペンドルフ型ディスポーザブルピペット）でサンプルを注入する。このように従来、電気泳動時、支持体（アガロースゲル）に作られた溝の中に液体サンプルをピペットで直接注入している。
【０００３】
しかし、サンプルを直接、先端部が尖ったプラスチックのピペットで柔らかい支持体内に作られた、複数の細いスリット状の溝へ注入するさいに、細心の注意が必要であり、神経の集中を必要とする。
【先行技術文献】
【非特許文献】
【０００４】
Ｓａｍｂｒｏｏｋ、Ｊ．、Ｒｕｓｓｅｌｌ、Ｄ．Ｗ．著  Ｍｏｌｅｃｕｌａｒ  Ｃｌｏｎｉｎｇ：Ａ  Ｌａｂｏｒａｔｏｒｙ  Ｍａｎｕａｌ、３ｒｄ  ｅｄｉｔｉｏｎ、Ｃｏｌｄ  Ｓｐｒｉｎｇ  Ｈａｒｂｏｒ  Ｌａｂｏｒａｔｏｒｙ  Ｐｒｅｓｓ、２００１
【発明の概要】
【発明が解決しようとする課題】
【０００５】
本発明は、このような従来の方法の問題点を解決しようとするものであり、サンプル注入時の不確実性や効率性などの改善を目的とするものである。
【課題を解決するための手段】
【０００６】
このために、緩衝液中に浸漬された支持体の溝にサンプルを直接ピペットで注入せず、あらかじめ乾燥状態のポケット用具（多用されるＤＮＡ用電気泳動用具では８連列）を作り（各ポケットの縦・横・高さのサイズは支持体内の溝より若干小さく作成する）、それらの中にサンプルを注入後、これを緩衝液で浸漬されたゲルの溝に浸漬し、サンプルを一斉に溝内へ移動させた後（サンプルにはサンプルを溝の下方へ沈降し易くする高濃度の蔗糖を含む色素液（ゲル  ローディング緩衝液を混合させておく））、ポケット用具を取り除く。また、ポケット用具を溝に挿入後、サンプルを注入してもよく、このさいにもサンプル注入に有用である。
ポケット用具は手でゲルの溝へ入れてもよいが、これを助けるガイド用具も添えておく。また、ガイド用具は電気泳動装置にセットしないでサンプルをあらかじめポケット用具に注入しておくスタンドとしても使用できる。
【発明の効果】
【０００７】
この方法により多種類のサンプルをゲルの破損を気にすることなく容易にポケット内に注入した後、一斉に電気泳動装置にセットすることが可能になる。また、ポケット内に注入後、湿潤した箱内に入れ、乾燥を防げば、任意の時間後にサンプルを電気泳動を装置にセットする。
【図面の簡単な説明】
【０００８】
ポケット用具関係
【図２−５】電気泳動サンプルの注入用ポケット用具である。
【図２】上段の図は陽極側面、全てメッシュ。下段の図は背面（陰極側面）、３０より上方のポケット壁はプラスチック、下方はメッシュ
【図３】同用具の側面図、太い実線部分はプラスチック入りの部分
【図４】同用具の平面図、灰色部はポケットの内部
【図５】同用具のイメージ図ガイド用具関係
【図６−９】ポケット用具を溝に挿入しやすくするためのガイド用具である。
【図６】同用具の陽極側面図
【図７】同用具の左側面図
【図８】同用具の上方から見た平面図
【図９】同用具の陽極側から見たイメージ図
【発明を実施するための形態】
【０００９】
ポケット用具の材質としてポリエステル（またはナイロン）メッシュ（目開き２７−３０ミクロン）を用いる。メッシュポケットの陰極側上方にはポケットの強度および形状を保持するためにプラスチックパネル（例：厚さ０．２ｍｍのＯＰＳ樹脂）を入れる（メッシュと熱で癒合させる）、また、プラスチックパネルの上方は後方に屈曲（〜９０度）させる。
【００１０】
ポケットをメッシュにする理由は乾燥した状態ではサンプルを注入しても漏れることはなく（〜１５マイクロリットルと微量で、表面張力のため）、少量のゲル  ローディング緩衝液を混ぜたサンプルは電気泳動支持体の溝へ浸漬すると迅速に溝の下方へ流出する。さらに、サンプルのメッシュへの吸着も無視出来る。
【００１１】
ガイド用具は全てアクリル等のプラスチックで作る。
【実施例１】
【００１２】
前記の小型アガロースゲル用電気泳動装置で用いるポケット用具を例に説明する。
図２−４はポケット用具を示す。溝の部分に対応する上辺３．８ｍｍｘ幅０．８ｍｍ、底辺２．８ｍｍｍｘ幅０．８ｍｍの逆台形ポケットを１．８ｍｍの間隔で８列作る（逆台形ポケットにする理由は用具を溝の中に挿入し易くするためであるが、長方形でもよい）。
図２
陽極側面図：２５はポケット用具の上辺の陽極側左角、２６はポケットの上辺の左縁、２７はポケットの上辺の右縁、２８は第二のポケットの左縁、２９はポケット用具の上辺の陽極側右角、３０は陰極側面の上辺から下方に伸びるプラスチック補強部の下縁の透視線、３１はポケット底の左縁、３２同右縁、３３は第二のポケット底の左縁
陰極側面図：３０はポケット背面の上辺から下方に伸びるプラスチック補強部の下縁（図の３０の高さは中央よりやや深い位置がよい。補強部はサンプル注入時にピペットのガイドにもなる。
図３
ポケット用具の側面図、３６はポケットの陽極側縁（〜１ｍｍ）、３１はポケットの底縁、３４はポケット用具の陰極側左角
図４、
ポケット用具の平面図、３５は上辺の陰極側右角、３７はポケットの陰極側縁を通る線の左端、３８はポケットの陰極側縁を通る線の右端、ポケット用具は一枚のメッシュをポケットの底面で折り曲げ、さらに、陰極側および陽極側へ上面を９０度に曲げて水平面を作る。３７−３８の線はポケットの陽極側面と陰極側面の貼り合わせの線である。
【００１３】
図６―８はガイド用具の１実施例である（点線は透視図、ダッシュ破線は不連続部、図６−８には新規番号をつける）。
図６
左逆Ｌ字型プラスチック板（１−２間２．８ｍｍ、１−２３間１７ｍｍ、１−２７間２５ｍｍ）、右は作法から見てＬ字型になるが、同様の２、３、５、６、１６、２２で囲まれるプラスチック板（２−３間１１２ｍｍ、２−５間９ｍｍ、５−６間１．３ｍｍ、６−１６間２ｍｍ、６−１３間５５ｍｍ、７−８間１．３ｍｍ、１６−２２間１１０．７ｍｍ）
図７
同側面図において、左逆Ｌ字型プラスチック板（３１−１間、１０ｍｍ、３２―１間、２ｍｍ、３４−９間２３ｍｍ、３５−１０間２ｍｍ、４０−２３間１７ｍｍ、４１−２７間２５ｍｍ、３１−２３間１７ｍｍ、３２−９間１０ｍｍ、４０−４１間５ｍｍ）
図８
同平面図において、３６、３８、１、２で囲まれるプラスチック板は左逆Ｌ字型プラスチック板で、図７を参照（３６−３８間２．８ｍｍ）、３０、４２、２９、１３で囲まれるプラスチック板（３０−４２間５５ｍｍ、３０−２９間２３ｍｍ）の陰極側（３０−４２の線より５ｍｍ陽極側に注入用ポケットの挿入が可能な長方形の孔（例３５、４６、１０、１１）を開ける。同様に等間隔で右側に７個の孔を開ける。４３、４４、８、５１で囲まれるプラスチック板は同じ構造のパネル、２８、５１、２、３で囲まれるプラスチック板は図６を参照（２８−２間２ｍｍ）
【産業上の利用可能性】
【００１４】
電気泳動法、特にアガロースゲルを支持体とする泳動法はDNAの分離や分析に不可欠な方法で、全世界で広範に実施されている。このポケット器具はディスポーザブルな安価な製品として大量に供給することができ、膨大な数の利用が見込める。ガイド用具はディスポーザブルではないが、ポケット器具使用者の購入が見込める。大型の電気泳動でも有用である。また、ポリアクリルアマイドゲルを用いたタンパク質の電気泳動でも用いられる。
【符号の説明】
【００１５】
１  ポケット用具
２  ガイド用具
【図１】
2010230600.tif 000003
【図２】
2010230600.tif 000004
【図３】
2010230600.tif 000005
【図４】
2010230600.tif 000006
【図５】
2010230600.tif 000007
【図６】
2010230600.tif 000008
【図７】
2010230600.tif 000009
【図８】
2010230600.tif 000010
【図９】
2010230600.tif 000011
【手続補正書】
【提出日】平成21年5月25日(2009.5.25)
【手続補正１】
【補正対象書類名】明細書
【補正対象項目名】０００８
【補正方法】変更
【補正の内容】
【０００８】
【図１】  小型アガロースゲル用電気泳動装置（陽極側から見たイメージ図）
【図２】  上段の図は陽極側面、全てメッシュ。下段の図は背面（陰極側面）、３０より上方のポケット壁はプラスチック、下方はメッシュ
【図３】  同用具の側面図、太い実線部分はプラスチック入りの部分
【図４】  同用具の平面図、灰色部はポケットの内部
【図５】  同用具のイメージ図
【図６】  同用具の陽極側面図
【図７】  同用具の左側面図
【図８】  同用具の上方から見た平面図
【図９】  同用具の陽極側から見たイメージ図
【手続補正２】
【補正対象書類名】図面
【補正対象項目名】全図
【補正方法】変更
【補正の内容】
【図１】
2010230600.tif 000012
【図２】
2010230600.tif 000013
【図３】
2010230600.tif 000014
【図４】
2010230600.tif 000015
【図５】
2010230600.tif 000016
【図６】
2010230600.tif 000017
【図７】
2010230600.tif 000018
【図８】
2010230600.tif 000019
【図９】
2010230600.tif 000020